(57)【要約】【課題】ディスク挿入後に新たなディスクの誤挿入を防止できるばかりでなく、ディスク以外の異物の誤挿入をも防止することができると共に、装置筐体の正面に格別のディスク挿排口を形成する必要のないディスク装置を得ることにある。【解決手段】装置上面に設けられたディスクガイド８との間でディスクＤを挟持して搬送するディスク搬送ローラ７を回転自在に支持し、そのディスク搬送ローラ７をディスク再生時に下降させてディスク搬送時には上昇させる方向へ回動するローラ支持部材６とを備え、このローラ支持部材６に、装置前面部のディスク挿排口の開口部ほぼ全面を開閉するディスク誤挿入防止片部６−１を一体形成し、ディスク挿入後にローラ支持部材６の回動で前記ディスク誤挿入防止片部６−１がディスク挿排口をほぼ全閉するように構成したものである【選択図】図１
2007207315.tif 000002
【特許請求の範囲】
【請求項１】
装置上面に設けられたディスクガイドと、このディスクガイドとの間でディスクを挟持して搬送するディスク搬送ローラを回転自在に支持し、そのディスク搬送ローラをディスク再生時に下降させてディスク搬送時には上昇させる方向へ回動するローラ支持部材とを備えたディスク装置において、
前記ローラ支持部材に、装置前面部のディスク挿排口の開口部ほぼ全面を開閉するディスク誤挿入防止片部を一体形成し、ディスク挿入後の前記ローラ支持部材の回動によって前記ディスク誤挿入防止片部がディスク挿排口をほぼ全閉するように構成したことを特徴とするディスク装置。
【請求項２】
ディスク誤挿入防止片部は、ベース部材からなるローラ支持部材の前端縁部全長に亘って折曲形成された上向き折曲片部からなっていることを特徴する請求項１記載のディスク装置。
【請求項３】
ディスク誤挿入防止片部の上端部にはディスク挿排口のディスク案内形状部が設けられていることを特徴とする請求項１または請求項２記載のディスク装置。
【発明の詳細な説明】
【技術分野】
【０００１】
この発明は、ディスクローディング状態での新たなディスク等の誤挿入防止対策を施したディスク装置に関するものである。
【背景技術】
【０００２】
従来のディスク装置として、装置筐体の天板に設けられたディスクガイドと、このディスクガイドとの間でディスクを挟持して搬送するディスク搬送ローラを回転自在に支持し、そのディスク搬送ローラをディスク再生時に下降させてディスク搬送時には上昇させる方向へ回動動作するローラ支持部材と、ディスクローディング状態で新たなディスクの誤挿入を防止するためのディスク誤挿入防止手段とを備え、そのディスク誤挿入防止手段として、前記ローラ支持部材に左右方向へ一定の間隔で複数のディスク誤挿入防止突起を一体形成し、これらのディスク誤挿入防止突起を前記ローラ支持部材の正逆回動によりディスク挿排口に対して突出・退没させるように構成したものは知られている（例えば、特許文献１）。
【０００３】
このような従来のディスク装置によれば、装置筐体内へのディスク挿入後に、前記ローラ支持部材がディスク搬送ローラを下降させると同時にディスク誤挿入防止突起を上昇させる方向に回動することにより、そのディスク誤挿入防止突起でディスク挿排口を遮って新たなディスクの誤挿入（二重挿入）を防止できるというものである。
【０００４】
【特許文献１】特開２００２−２６０３１６号公報（〔０００５〕及び〔００１２〕、図１及び図７）
【発明の開示】
【発明が解決しようとする課題】
【０００５】
従来のディスク装置は以上のように構成されているので、装置筐体内へのディスク挿入後に回動するローラ支持部材に設けられたディスク誤挿入防止突起がディスク挿排口の内側に突出することにより、新たなディスクの誤挿入を防止することはできるが、前記ディスク誤挿入防止突起はローラ支持部材の左右方向に間隔を存して設けられているので、その左右方向に離間したディスク誤挿入防止突起間の隙間からディスク以外の異物が誤挿入されてしまうという課題があった。また、従来のディスク装置では、ディスク挿入を可能とする位置に下降したディスク誤挿入防止突起を隠してディスク挿入時のディスクを所定の挿入方向にガイドするためのディスク挿排口を装置筐体の正面に格別に形成しなければならないという課題があった。
【０００６】
この発明は上記のような課題を解決するためになされたもので、ディスク挿入後に新たなディスクの誤挿入を防止できるばかりでなく、ディスク以外の異物の誤挿入をも防止することができると共に、装置筐体の正面に格別のディスク挿排口を形成する必要のないディスク装置を得ることを目的とする。
【課題を解決するための手段】
【０００７】
この発明に係るディスク装置は、装置上面に設けられたディスクガイドと、このディスクガイドとの間でディスクを挟持して搬送するディスク搬送ローラを回転自在に支持し、そのディスク搬送ローラをディスク再生時に下降させてディスク搬送時には上昇させる方向へ回動するローラ支持部材とを備えたディスク装置において、前記ローラ支持部材に、装置前面部のディスク挿排口の開口部ほぼ全面を開閉するディスク誤挿入防止片部を一体形成し、ディスク挿入後の前記ローラ支持部材の回動によって前記ディスク誤挿入防止片部がディスク挿排口をほぼ全閉するように構成したものである。
【発明の効果】
【０００８】
この発明によれば、ディスク搬送ローラを回転自在に支持して回動するローラ支持部材に、装置前面部のディスク挿排口の開口部ほぼ全面を開閉するディスク誤挿入防止片部を一体形成し、ディスク挿入後の前記ローラ支持部材の回動によって前記ディスク誤挿入防止片部がディスク挿排口をほぼ全閉するように構成したので、ディスク挿入後に新たなディスクの誤挿入を防止できると共に、ディスク以外の異物の誤挿入をも防止することができるという効果がある。また、前述のようにローラ支持部材に設けたディスク誤挿入防止片部がディスク挿排口の開口部ほぼ全面を開閉するので、前面が開口しただけの装置筐体を適用することにより、その装置筐体の前面開口部を前記ディスク誤挿入防止片部で開閉することができ、このため、前記装置筐体に格別のディスク挿排口を形成する必要がないという効果がある。
【発明を実施するための最良の形態】
【０００９】
実施の形態１．
図１はこの発明の実施の形態１によるディスク装置を天板除去状態で示す斜視図、図２は図１中のローラ支持部材を示す斜視図、図３はディスク装置の天板をローラ支持部材との関連で示す斜視図、図４はディスク挿入時の状態を示す要部側面図、図５はディスク挿入後の状態を示す要部側面図である。
図１に示すディスク再生装置は、前面および上面が開放されたフレームからなる装置筐体１と、この装置筐体１内のディスク再生位置に配置されて回転駆動されるディスク載置用のターンテーブル２と、このターンテーブル２上にディスクをクランプするクランプ部材３と、前記装置筐体１の前面側内部に配置されたディスク搬送用のローラユニット４と、前記装置筐体１の上面を覆う天板５（図３〜図５参照）とを備えた構成となっている。
【００１０】
前記ローラユニット４は、前記装置筐体１内の前部側に配置されて回動するローラ取り付け用のベース部材からなるローラ支持部材６と、このローラ支持部材６の両端フランジ部６ａ（図２参照）に回転自在に支持されたディスク搬送ローラ７とを備えており、そのディスク搬送ローラ７はモータ（図示せず）で回転駆動されるようになっている。さらに詳しく説明すると、前記ローラ支持部材６は、その両端フランジ部６ａの軸支部６ｂ（図２および図３参照）が装置筐体１側に回動可能に支持され、その軸支部６ｂを支点にして前記フランジ部６ａの後端部６ｃ側が上昇する方向にバネ部材（図示せず）で付勢された取り付け構成となっている。そして、前記ローラ支持部材６は、前記クランプ部材３の下降動作に同期して前記バネ部材の付勢力に抗する方向（フランジ部６ａの後端部６ｃ上昇方向）に回動するようになっている。
【００１１】
このようなローラ支持部材６におけるフランジ部６ａの後端部６ｃ側に前記ディスク搬送ローラ７のローラ軸が回転自在に支持されている。したがって、前記ディスク搬送ローラ７は、前記ローラ支持部材６の回動によって昇降動作するようになっており、そのディスク搬送ローラ７は、ローラ軸の中央部側に向かって漸次小径となるゴム製のテーパーローラからなっている。
【００１２】
一方、前記天板５における前記ローラ支持部材６との対応位置には、図３〜図５に示すようにディスクガイド８が設けられており、このディスクガイド８との間で前記ディスク搬送ローラ７がディスクＤを挟持して搬送するようになっている。
【００１３】
以上において、前記ローラ支持部材６の前端縁部には、その全長に亘って上向きのディスク誤挿入防止片部６−１が折曲形成されている。このディスク誤挿入防止片部６−１は、前記装置筐体１の前面開放端全面を開閉可能な大きさに形成され、そのディスク誤挿入防止片部６−１の上端縁部には、ディスク挿排口のディスク案内形状を模したディスク案内形状部６−２が形成されている。このディスク案内形状部６−２は、前記ディスク誤挿入防止片部６−１の上端縁部における両端側から中央部に向かって漸次低くなるテーパー状に形成されており、ディスク挿入時にディスクＤの外縁部のみを摺接させて案内する構成となっている。
【００１４】
次に動作について説明する。
装置筐体１内にディスクＤが挿入されていない状態においては、ローラ支持部材６に対するバネ部材の付勢力により、当該ローラ支持部材６の後端部６ｃ側に支持されたディスク搬送ローラ７がディスク搬送可能な上昇位置に保持され、そのディスク搬送ローラ７とは反対側となる前記ローラ支持部材６前端のディスク誤挿入防止片部６−１はディスク挿入を可能とする下降待機位置に保持された状態（図４参照）となっている。
【００１５】
このような状態において、装置筐体１内にディスクＤを挿入すると、そのディスクＤの外縁部に当接して回転駆動された状態のディスク搬送ローラ７が天板５のディスクガイド８との間で前記ディスクＤを挟持して搬送する。そのディスクＤがターンテーブル２の上部まで搬送されると、クランプ部材３が下降動作することにより前記ターンテーブル２上のディスクＤがクランプされる。このとき、前記クランプ部材３の下降動作に同期して前記ローラ支持部材６がディスク搬送ローラ７を下降させる方向に回動し、前記ローラ支持部材６の前端縁部のディスク誤挿入防止片部６−１が上昇することにより、図５に示すように前記ディスク誤挿入防止片部６−１によって装置筐体１の前面開放端ほぼ全面が塞がれる。したがって、ディスクローディング状態では、新たなディスクの誤挿入やディスク以外の異物の誤挿入が防止される。
【００１６】
なお、ディスク排出時には、クランプ部材３がディスククランプ解除方向に上昇動作することにより、その上昇動作に追従してローラ支持部材６がバネ部材の付勢力で同期回動することにより、ディスク搬送ローラ７がディスクＤの外縁部に下方から当接すると同時に、前記ディスク誤挿入防止片部６−１がディスク排出可能な位置まで下降する。
【００１７】
以上説明した実施の形態１によれば、ディスク搬送ローラ７を回転自在に支持するローラ支持部材６の前端縁部ほぼ全長に亘って上向きのディスク誤挿入防止片部６−１を折曲形成し、ディスク挿入後の前記ローラ支持部材６の回動によって前記ディスク誤挿入防止片部６−１が装置筐体１の前面開放端ほぼ全面を全閉するように構成したので、ディスク挿入後に新たなディスクの誤挿入を防止できると共に、ディスク以外の異物の誤挿入をも防止することができるという効果がある。また、前述のようにローラ支持部材６前端のディスク誤挿入防止片部６−１が装置筐体１の前面開放端ほぼ全面を開閉するので、前面が開口しただけの装置筐体１を適用することができ、このため、前記装置筐体１にディスク挿排口を格別に形成する必要がないという効果がある。
【図面の簡単な説明】
【００１８】
【図１】この発明の実施の形態１によるディスク装置を天板除去状態で示す斜視図である。
【図２】図１中のローラ支持部材を示す斜視図である。
【図３】ディスク装置の天板をローラ支持部材との関連で示す斜視図である。
【図４】ディスク挿入時の状態を示す要部側面図である。
【図５】ディスク挿入後の状態を示す要部側面図である。
【符号の説明】
【００１９】
１  装置筐体、２  ターンテーブル、３  クランプ部材、４  ローラユニット、５  天板、６  ローラ支持部材、６ａ  フランジ部、６ｂ  軸支部、６ｃ  後端部、６−１  ディスク誤挿入防止片部、６−２  ディスク案内形状部、７  ディスク搬送ローラ、８  ディスクガイド、Ｄ  ディスク
【図１】
2007207315.tif 000003
【図２】
2007207315.tif 000004
【図３】
2007207315.tif 000005
【図４】
2007207315.tif 000006
【図５】
2007207315.tif 000007